(57)【要約】【課題】  高い寸法精度での加工を必要とすることなく樹脂製の軸体やキャップ本体に金属製のクリップを容易に固定可能とする。【解決手段】  クリップ後端の基部を軸体の外面に突設して設けられた取付け部に係合してなる筆記具のクリップの固定構造に於いて、クリップは、金属製で函形を成し、上面に窓部が設けられると共に窓部の後端に後方に向かって切欠部が形成され、その切欠部の両側周面に係止凹凸部が形成された基部が設けられてなり、一方、軸体の側面には外方に突出した取付け部が設けられ、その取付け部の両側に係合溝が形成されて、前記クリップの窓部に軸体の取付け部を挿通すると共にクリップを前方に摺動して、切欠部の両側周面に形成された係止凹凸部を前記軸体の取付け部の両側に形成された係合溝に係止して軸体にクリップを固定可能とする。【選択図】  図３
2005067161.tif 000002
【特許請求の範囲】
【請求項１】
クリップ後端の基部を軸体の外面に突設して設けられた取付け部に係合してなる筆記具のクリップの固定構造に於いて、クリップは、金属製で函形を成し、上面に窓部が設けられると共に窓部の後端に後方に向かって切欠部が形成され、その切欠部の両側周面に係止凹凸部が形成された基部が設けられてなり、一方、軸体の側面には外方に突出した取付け部が設けられ、その取付け部の両側に係合溝が形成されて、前記クリップの窓部に軸体の取付け部を挿通すると共にクリップを前方に摺動して、切欠部の両側周面に形成された係止凹凸部を前記軸体の取付け部の両側に形成された係合溝に係止して軸体にクリップを固定したことを特徴とする筆記具のクリップ固定構造。
【請求項２】
軸体の取付け部の前方に庇状に張出し部が形成され、その張出し部がクリップの窓部に添って適宜長さで設けられてなる請求項１に記載の筆記具のクリップ固定構造。
【発明の詳細な説明】
【技術分野】
【０００１】
本発明は、樹脂成形品からなる筆記具の軸体等にクリップを固定する構造に関する。
【背景技術】
【０００２】
【特許文献１】特開２０００−３１８３７４号公報  従来、この種の筆記具用のクリップ固定構造（取付け構造）として、特開２０００−３１８３７４号公報に記載された構成のものが知られている。  このクリップ固定構造は、キャップ本体の外周面上に設けた、係止溝又は係止突起からなる係合部を側面に有する直方体状の突出部にクリップの脚部に設けられかつクリップの表面側に貫通した嵌合孔に挿着し、該嵌合孔の内壁面に設けた、係止突起又は係止溝からなる被係合部に前記係合部を係合することにより、キャップ本体の色とは異なる色のクリップをキャップ本体に組付けてなるものである。  上記従来のクリップ固定構造（取付け構造）において、キャップ本体にクリップを組み付けるには、そのクリップに形成した嵌合孔にキャップ本体の突出部を嵌合し、キャップ本体の係合部とクリップの被係合部を互いを乗り越えて係合することにより、クリップをキャップ本体に組み付けて、筆記具用キャップを組み立てるようになっている。
【発明の開示】
【発明が解決しようとする課題】
【０００３】
しかしながら、上記従来のクリップ固定構造は、キャップ本体の係合部とクリップの被係合部をいわば圧入させることによって固定しているので、相互の部材が弾性のある樹脂成形品である必要がある。即ち、クリップが金属製の場合、相互間の嵌合部分の寸法精度を極めて高くしたとしても、嵌合部が変形したり、削られてしまい安定した固定が得られない問題がある。
そこで本発明は、高い寸法精度での加工を必要とすることなく樹脂製の軸体やキャップ本体に金属製のクリップを容易に固定することが可能となる筆記具のクリップ固定構造の提供を課題とする。
【課題を解決するための手段】
【０００４】
本発明は、上記課題を達成する為に以下の構成を有する。
請求項１に記載の発明に係る筆記具のクリップ固定構造は、クリップ後端の基部を軸体の外面に突設して設けられた取付け部に係合してなる筆記具のクリップの固定構造に於いて、クリップは、金属製で函形を成し、上面に窓部が設けられると共に窓部の後端に後方に向かって切欠部が形成され、その切欠部の両側周面に係止凹凸部が形成された基部が設けられてなり、一方、軸体の側面には外方に突出した取付け部が設けられ、その取付け部の両側に係合溝が形成されて、前記クリップの窓部に軸体の取付け部を挿通すると共にクリップを前方に摺動して、切欠部の両側周面に形成された係止凹凸部を前記軸体の取付け部の両側に形成された係合溝に係止して軸体にクリップを固定したことを特徴とする。    
【０００５】
請求項２に記載の発明に係る筆記具のクリップ固定構造は、請求項１に記載の筆記具のクリップ固定構造に於いて、軸体の取付け部の前方に庇状に張出し部が形成され、その張出し部がクリップの窓部に添って適宜長さで設けられてなる。
【０００６】
尚、本発明は、ボールペン、シャープペンシル、サインペンなど、一般的な筆記具に適用可能である。また、軸体は、筆記具に使用される軸筒、キャップ、後軸などである。
【発明の効果】
【０００７】
本発明の筆記具のクリップ固定構造は、クリップが金属製で函形を成し、上面に窓部が設けられると共に窓部の後端に切欠部の両側周面に係止凹凸部が形成された基部が設けられており、また、軸体側面の外方に突出した取付け部の両側に係合溝が形成されて、クリップの窓部に取付け部を挿通すると共にクリップを前方に摺動して、切欠部の両側周面に形成された係止凹凸部を軸体の取付け部の両側に形成された係合溝に係止するように構成しているので係止凹凸部や係合溝を高い寸法精度で加工設定する必要もなく、樹脂製の軸体やキャップ本体に金属製のクリップを容易に固定することが可能となる。
また、軸体の取付け部の前方に庇状に張出し部を形成し、その張出し部をクリップの窓部に添って適宜長さで設けることによって、斬新なデザイン性が強調されると共に、張り出し部の下部とクリップ上面との間にタグやメモを記した小片などを挟着しておくことやクリップを胸ポケット等に挟んで筆記具を携帯する時に名札等を挟むなどの利便性を持たせることができる。
【発明を実施するための最良の形態】
【０００８】
図１及び図２に示す実施例は先軸４の先端から筆記先端部を出没可能とするノック式のボールペンで示されている。また、クリップを固定する取付け部を備えた軸体は、軸筒２の後端に固定される後軸３に設けられている。
【０００９】
以下、図面に基づき本発明の一実施例について説明する。
図５及び図６はクリップの形態を示している。クリップ６は、プレス加工等により形成される函型の金属製で、クリップ片６ａの前端内面側に玉部６ｃを有し、後端に基部６ｄを有している。クリップ片６ａの上面には後方から前方に懸けて窓部６ｂが設けられると共にその窓部６ｂの後端に後方に向かって切欠部６ｅが形成され、その切欠部６ｅの両側周面に係止凹凸部６ｆが形成されて基部６ｄが設けられている。係止凹凸部６ｆは後述する後軸３の材質やクリップの取付け部の形状に合わせて、装着が容易で、且つ強固な固定が期待できる形状が設定される。基本的には、前方に傾斜面、後方に段部を有した例えば鋸刃状の係止部が一箇所以上で形成され、クリップ片６ａの材質や板厚等を勘案して係合代となる凹凸部の寸法が設定される。
【００１０】
一方、後軸３の天冠部３ａの側面には外方に突出した取付け部３ｂが設けられ、その取付け部３ｂの両側に係合溝が３ｃが形成されている。この係合溝３ｃは前記クリップの基部６ｄに形成された係止凹凸部６ｆに迎合した形状の係止凹凸部が設けられている。
また、取付け部３ｂの前方には適宜長さの庇状の張出し部３ｅが形成されている。
【００１１】
図３及び図４は後軸３の取付け部３ｂにクリップ６を固定した状態を示している。
即ち、クリップ６の窓部６ｂに後軸３の取付け部３ｂを挿通すると共にクリップ６を前方に摺動して、クリップ基部の切欠部６ｅの両側周面に形成された係止凹凸部６ｆを前記後軸の取付け部３ｂの両側に形成された係合溝３ｃに係止して後軸３に対してクリップ６が固定される。その際、係止凹凸部６ｆと取付け部３ｂの何れかあるいは双方に係合を開始する部に係合を容易化する導入部が形成される。
また、取付け部３ｂの張出し部３ｅがクリップ６の窓部６ｂに添って設けられる。
【００１２】
尚、前記後軸の係止凹凸部６ｆは必ずしも形成されない。クリップ６が薄肉の金属板をプレス加工して形成される場合には、基部６ｄの弾性変形が期待できる場合には相互に設けられた係止凹凸部が噛合うように係合することが望ましいが、クリップ６が圧肉であったり、剛性が高い場合にはクリップの係止凹凸部が後軸の係合溝に過度の変形を与えるのを避けることが望ましい場合もある。また、相互に設けられた係止凹凸部の高低差を微小にして多数設け、係合精度を上げるなどが配慮される。
【００１３】
（作用）
本発明の筆記具のクリップ固定構造は以上のように構成されており、クリップ６を前方に摺動して、クリップの係止凹凸部６ｆを後軸の取付け部３ｂの係合溝３ｃに係止する際に、係止凹凸部６ｆと取付け部３ｂの何れかあるいは双方に導入部が形成されているので係合を容易に開始することができる。また、クリップと取付け部の係止凹凸部は装着が容易で、且つ強固な固定が期待できる形状が設定されが、基本的には、前方に傾斜面、後方に段部を有した例えば鋸刃状の係止部が形成されるので、相互の傾斜面による弾性変形効果によって係合溝の係止凹凸部がむしられることが防止可能となり、段部の食いつきによって相互間が強固に固定可能となる。
また、取付け部の張出し部３ｅがクリップの窓部６ｂに添って適宜長さで設けられることによって、斬新なデザイン性が強調されると共に、張り出し部の下部とクリップ上面との間にタグやメモを記した小片などを挟着しておくことやクリップを胸ポケット等に挟んで筆記具を携帯する時に名札等を挟むなどが可能となる。
【図面の簡単な説明】
【００１４】
【図１】実施形態である本発明の筆記具のクリップ固定構造を適用したノック式のボールペンの全体を示す半断面図である。
【図２】ノック式のボールペンの全体を上部より見た図である。
【図３】実施形態である筆記具のクリップ固定構造を拡大して示した要部断面の正面図である。
【図４】図３を上面から見た頭である。
【図５】クリップの断面図である。
【図６】クリップの上面図である。
【符号の説明】
【００１５】
１      筆記具
２      軸筒
３      後軸
３ａ    天冠部
３ｂ    取付け部
３ｃ    係合溝
３ｄ    筒部
３ｅ    張出し部
４      先軸
５      グリップ（把持体）
６      クリップ
６ａ    クリップ片
６ｂ    窓部
６ｃ    玉部
６ｄ    基部
６ｅ    切欠部
６ｆ    係止凹凸部
【図１】
2005067161.tif 000003
【図２】
2005067161.tif 000004
【図３】
2005067161.tif 000005
【図４】
2005067161.tif 000006
【図５】
2005067161.tif 000007
【図６】
2005067161.tif 000008